(57)【要約】【課題】簡易な構成によって複数の壁面パネルを容易に取り付けることができる。【解決手段】内装壁の下地材には、長手方向において複数の掛止部２２が間隔をおいて設けられた掛止レール２０が固定される。壁面パネル３０の裏面には、掛止部２２に掛止可能なフック部４２を有する掛止プレートが固定されている。１つの掛止レール２０に対して複数の壁面パネル３０が長手方向に互いに隣り合って取り付けられている。【選択図】図４
2017008662.tif 000002
【特許請求の範囲】
【請求項１】
壁の下地に固定される掛止レールであって、その長手方向において複数の掛止部が間隔をおいて設けられた掛止レールと、
前記掛止部に掛止可能な掛止部材が裏面に固定された壁面パネルと、を備え、
１つの前記掛止レールに対して複数の前記壁面パネルが前記長手方向に互いに隣り合って取り付けられている、
壁面パネルの取り付け構造。
【請求項２】
前記掛止部材は、前記掛止レールの長手方向に沿って延びるとともに前記壁面パネルの裏面に固定されるプレート本体と、前記プレート本体から延びるとともにその長手方向に間隔をおいて設けられて複数の前記掛止部の少なくとも２つにそれぞれ掛止される複数のフック部とを有している、
請求項１に記載の壁面パネルの取り付け構造。
【請求項３】
前記壁面パネルの互いに直交する２つの辺には、同壁面パネルと同壁面パネルに隣り合う他の壁面パネルとの間をシールするシール材が一体形成されている、
請求項１または請求項２に記載の壁面パネルの取り付け構造。
【発明の詳細な説明】
【技術分野】
【０００１】
本発明は、壁の下地に壁面パネルを取り付ける構造に関する。
【背景技術】
【０００２】
従来、コンクリートや合板の壁の下地に対して、石材などの内装パネルを接着剤によって接着して取り付ける施工方法が知られている。この場合、下地の下側から順に内装パネルが取り付けられる。
【０００３】
また、特許文献１には、下地材に対して外装パネルを係合部材を用いて取り付ける構造が開示されている。
特許文献１の図１には、係合部材の一端部が外装パネルに固定されるとともに、この係合部材の他端部が下地材から突出する第１係止部に係合された構造が開示されている。
【０００４】
また、特許文献１の図４には、ボルト及びナットによりＬ字形の保持金具を下地材に固定し、外装パネルの下端面あるいは上端面に設けられた挿入穴に係止板の先端部に設けられたピンを嵌挿させた状態で、係止板と上記保持金具とがボルト及びナットによって連結された構造が開示されている。
【先行技術文献】
【特許文献】
【０００５】
【特許文献１】特開平９−１５１５９１号公報
【発明の概要】
【発明が解決しようとする課題】
【０００６】
ところで、前者の構造の場合、内装パネルが接着剤を介して下地に取り付けられるものであるため、接着剤が硬化して内装パネルが固定されるまでは内装パネルがずれないように作業者自らが押さえ付けておく必要がある。そのため、内装パネルが固定されるまではその上側に位置することとなる内装パネルの取り付けに着手することが難しく、施工に多くの時間を要することとなる。
【０００７】
また、特許文献１の図１に記載の構造の場合、外装部材の取り付けのために第１係止部が一体形成された専用の下地材が必要となる。
また、特許文献１の図４に記載の構造の場合、外装部材の端部に挿入穴を形成しなければならない。そのため、外装部材の厚さを薄くすることが難しい。また、１つの外装パネルを取り付けるために係止板及び保持金具が少なくとも上下一対必要になる他、これら係止板及び保持金具を連結するためのボルト及びナット、並びに保持金具を下地材に固定するためのボルト及びナットが必要となる。そのため、部品点数が多くなるばかりか、施工に多くの時間を要することとなる。
【０００８】
本発明の目的は、簡易な構成によって複数の壁面パネルを容易に取り付けることのできる壁面パネルの取り付け構造を提供することにある。
【課題を解決するための手段】
【０００９】
上記目的を達成するための壁面パネルの取り付け構造は、壁の下地に固定される掛止レールであって、その長手方向において複数の掛止部が間隔をおいて設けられた掛止レールと、前記掛止部に掛止可能な掛止部材が裏面に固定された壁面パネルとを備えている。１つの前記掛止レールに対して複数の前記壁面パネルが前記長手方向に互いに隣り合って取り付けられている。
【００１０】
壁面パネルの施工に際しては、まず、下地に掛止レールを固定し、この掛止レールの掛止部と壁面パネルの裏面に固定された掛止部材とを掛止させる。これにより、掛止部材及び掛止レールを介して壁面パネルが下地に固定される。また、１つの掛止レールに対して複数の壁面パネルが長手方向に沿って互いに隣り合って取り付けられる。また、掛止レールの掛止部が壁面パネルの取り付け位置の基準となることから、壁面パネルの位置決めを容易に行なうことができる。したがって、簡易な構成によって複数の壁面パネルを容易に取り付けることができる。
【発明の効果】
【００１１】
本発明によれば、簡易な構成によって複数の壁面パネルを容易に取り付けることができる。
【図面の簡単な説明】
【００１２】
【図１】壁面パネルの取り付け構造の一実施形態について、下地材に固定された掛止レールと壁面パネルとを離間して示す分解斜視図。
【図２】同実施形態の掛止レールを示す斜視図。
【図３】同実施形態の壁面パネルの裏面を示す斜視図。
【図４】同実施形態の壁面パネルを掛止レールと共に示す平面図。
【図５】図４の５−５線に沿った断面図。
【図６】壁面パネルの取り付け構造の変形例について、掛止レールと壁面パネルとの位置関係を示す平面図。
【図７】壁面パネルの取り付け構造の他の変形例について、掛止レールと壁面パネルとの位置関係を示す平面図。
【図８】同他の変形例における第２壁面パネルの裏面を示す斜視図。
【図９】同他の変形例における第３壁面パネルの裏面を示す斜視図。
【発明を実施するための形態】
【００１３】
以下、図１〜図５を参照して、一実施形態について説明する。
図１に示すように、建物の内装壁を構成する下地材１０の表面には、上下に延びる複数の掛止レール２０が互いに所定の間隔をおいて固定されている。
【００１４】
図２及び図５に示すように、掛止レール２０は、金属板材によって形成されており、上下に延びる平板状のレール本体２１と、レール本体２１の一部がプレス加工、詳しくは切り曲げ加工されることによって形成され、上向きのフック形状を有する複数の掛止部２２とを有している。複数の掛止部２２はいずれも同一の形状を有しており、レール本体２１に形成された開口の下側縁から突出するとともに屈曲して上方に向けて延びている。上下に隣り合う２つの掛止部２２は、長手方向において互いに所定の間隔Ａをおいて設けられている。また、レール本体２１には、ねじ２６が挿通される複数のねじ孔２５が形成されている。
【００１５】
図１に示すように、本実施形態の複数の壁面パネル３０はいずれも、天然石材からなり、同一の横長長方形の板状をなしている。複数の掛止レール２０には、複数の壁面パネル３０が上下方向及び左右方向に互いに隣り合って取り付けられる。本実施形態では、上下方向及び左右方向の目地が複数の壁面パネル３０にわたってそれぞれ直線状に延びており、所謂、芋目地とされている。
【００１６】
図１及び図３に示すように、壁面パネル３０の互いに直交する２つの辺（図１における上端面及び右端面）には、Ｌ字状をなすエラストマー製の目地材５０が一体形成されている。したがって、目地材５０によって、同目地材５０を有する壁面パネル３０と、同壁面パネル３０の上方及び右方にそれぞれ隣り合う他の壁面パネル３０との間がシールされる。
【００１７】
図３及び図５に示すように、壁面パネル３０の裏面には、掛止レール２０の掛止部２２に掛止可能な２つの掛止プレート４０が左右に間隔をおいて固定されている。これら２つの掛止プレート４０の間の間隔Ｅは、互いに隣り合う２つの掛止レール２０の間の間隔と同一の大きさに設定されている。
【００１８】
本実施形態の掛止プレート４０は、掛止レール２０と同一の金属板材によって形成されている。なお、掛止プレート４０を掛止レール２０とは異なる金属材料によって形成してもよい。
【００１９】
掛止プレート４０は、上下に延びる平板状をなし、接着剤により壁面パネル３０の裏面に固定されたプレート本体４１と、プレート本体４１の一部がプレス加工、詳しくは切り曲げ加工されることによって形成され、下向きのフック形状を有する２つのフック部４２とを有している。複数のフック部４２はいずれも同一の形状を有しており、プレート本体４１に形成された開口の上側縁から突出するとともに屈曲して下方に向けて延びている。本実施形態では、プレート本体４１からのフック部４２の突出高さとレール本体２１からの掛止部２２の突出高さとが同一に設定されている。２つのフック部４２は長手方向（上下方向）において互いに所定の間隔Ｂ１をおいて設けられている。
【００２０】
ここで、図２及び図３に示すように、掛止レール２０の長手方向（上下方向）における掛止部２２の長さＣ及び幅方向（左右方向）における掛止部２２の長さＤは、掛止プレート４０の長手方向におけるフック部４２の長さＣ及び幅方向におけるフック部４２の長さＤとそれぞれ同一に設定されている。
【００２１】
また、フック部４２の長さＣと上下に隣り合う２つのフック部４２間の間隔Ｂ１との和（Ｃ＋Ｂ１）は、掛止部２２の長さＣと上下に隣り合う掛止部２２間の間隔Ａとの和（Ｃ＋Ａ）の６倍に設定されている。したがって、図４に示すように、掛止プレート４０の２つのフック部４２にそれぞれ掛止される掛止レール２０の２つの掛止部２２の間には、フック部４２に掛止されない５つの掛止部２２が存在することとなる。なお、同図において、互いに掛止される掛止部２２及びフック部４２が網掛けにて示されている。
【００２２】
次に、本実施形態の作用について説明する。
壁面パネル３０の施工に際しては、まず、図２に示すねじ２６を掛止レール２０のねじ孔２５に挿通するとともに同ねじ２６を下地材１０に固定することによって、掛止レール２０が下地材１０に固定される。
【００２３】
続いて、図４及び図５に示すように、掛止レール２０の掛止部２２に対して壁面パネル３０の裏面に取り付けられている掛止プレート４０のフック部４２をそれぞれ掛止させる。これにより、掛止プレート４０及び掛止レール２０を介して下地材１０に対して壁面パネル３０が固定される。
【００２４】
以上説明した本実施形態に係る壁面パネルの取り付け構造によれば、以下に示す効果が得られるようになる。
（１）内装壁の下地材１０には、長手方向において複数の掛止部２２が間隔をおいて設けられた掛止レール２０が固定される。壁面パネル３０の裏面には、掛止部２２に掛止可能な掛止プレート４０が固定されている。１つの掛止レール２０に対して複数の壁面パネル３０が長手方向に互いに隣り合って取り付けられている。
【００２５】
こうした構成によれば、１つの掛止レール２０に対して複数の壁面パネル３０が掛止レール２０の長手方向に沿って互いに隣り合って取り付けられる。また、掛止レール２０の掛止部２２が壁面パネル３０の取り付け位置の基準となることから、壁面パネル３０の位置決めを容易に行なうことができる。したがって、簡易な構成によって複数の壁面パネル３０を容易に取り付けることができる。
【００２６】
（２）掛止プレート４０は、掛止レール２０の長手方向に沿って延びるとともに壁面パネル３０の裏面に固定されるプレート本体４１と、プレート本体４１から延びるとともに長手方向に間隔をおいて設けられて２つの掛止部２２にそれぞれ掛止される２つのフック部４２とを有している。このため、掛止レール２０に対して取り付けられた壁面パネル３０の姿勢が安定することとなり、壁面パネル３０を確実に取り付けることができる。
【００２７】
（３）壁面パネル３０の互いに直交する２つの辺には、壁面パネル３０と同壁面パネル３０に隣り合う他の壁面パネル３０との間をシールする目地材５０が一体形成されている。
【００２８】
こうした構成によれば、壁面パネル３０を取り付けた後に壁面パネル３０間の隙間に目地材５０を形成する工程を省略することができる。したがって、下地材１０に対して複数の壁面パネル３０を取り付ける施工を容易に行なうことができる。
【００２９】
（４）壁面パネル３０の裏面には、互いに平行に設けられる２つの掛止レール２０に対応した２つの掛止プレート４０が設けられている。この場合、２つの掛止レール２０の掛止部２２と壁面パネル３０の裏面に固定された２つの掛止プレート４０とがそれぞれ掛止される。このため、掛止レール２０に対して取り付けられた壁面パネル３０の姿勢が安定することとなり、壁面パネル３０を確実に取り付けることができる。
【００３０】
（５）掛止レール２０及び掛止プレート４０は金属板材をプレス加工することによってそれぞれ形成されている。このため、掛止レール２０及び掛止プレート４０を容易に製造することができる。また、重量の大きな天然石材からなる複数の壁面パネル３０を安定して支持することができる。
【００３１】
＜変形例＞
なお、上記実施形態は、例えば以下のように変更することもできる。
・上記実施形態では、上下方向及び左右方向の目地が複数の壁面パネル３０にわたってそれぞれ直線状に延びる芋目地とされていたが、馬目地に変更することもできる。すなわち、図６に示すように、左右方向の目地を複数の壁面パネル３０にわたって直線状に延ばす一方、上下方向の目地を互い違いに設定することもできる。この場合、図３に示すように、右側の掛止プレート４０の右端と壁面パネル３０の右端面との間の間隔Ｆ１と、左側の掛止プレート４０の左端と壁面パネル３０の左端面に設けられた目地材５０との間の間隔Ｆ２とが同一に設定され、これら間隔Ｆ１と間隔Ｆ２との和が、２つの掛止プレート４０の間の間隔Ｅと同一に設定されている（Ｆ１＋Ｆ２＝Ｅ）。
【００３２】
・図７に示すように、上下の長さが互いに異なる３種類の壁面パネル３０，１３０，２３０を上下方向に隣り合うようにして取り付けることもできる。第１壁面パネル３０は、上記実施形態の壁面パネル３０と同一である。
【００３３】
図７及び図８に示すように、目地材５０を含む第２壁面パネル１３０の上下の長さＬ２は、目地材５０を含む第１壁面パネル３０の上下の長さＬ１の０．５倍に設定されている。図８に示すように、第２壁面パネル１３０の裏面には２つの掛止プレート１４０が固定されている。この掛止プレート１４０のフック部１４２の長さＣと上下に隣り合う２つのフック部１４２間の間隔Ｂ２との和（Ｃ＋Ｂ２）は、掛止部２２の長さＣと上下に隣り合う掛止部２２間の間隔Ａとの和（Ｃ＋Ａ）の２倍に設定されている。したがって、図７に示すように、掛止プレート１４０の２つのフック部１４２にそれぞれ掛止される掛止レール２０の２つの掛止部２２の間には、フック部１４２に掛止されない１つの掛止部２２が存在することとなる。
【００３４】
図７及び図９に示すように、目地材５０を含む第３壁面パネル２３０の上下の長さＬ３は、目地材５０を含む第２壁面パネル１３０の上下の長さＬ２の１．５倍に設定されている。図９に示すように、第３壁面パネル２３０の裏面には２つの掛止プレート２４０が固定されている。この掛止プレート２４０のフック部２４２の長さＣと上下に隣り合う２つのフック部２４２間の間隔Ｂ３との和（Ｃ＋Ｂ３）は、掛止部２２の長さＣと上下に隣り合う掛止部２２間の間隔Ａとの和（Ｃ＋Ａ）の４倍に設定されている。したがって、図７に示すように、掛止プレート２４０の２つのフック部２４２にそれぞれ掛止される掛止レール２０の２つの掛止部２２の間には、フック部１４２に掛止されない３つの掛止部２２が存在することとなる。
【００３５】
・掛止レール２０に対する壁面パネル３０、あるいは壁面パネル１３０，２３０の取り付け態様が固定されている場合には、掛止プレート４０のフック部４２が形成される掛止部２２のみを掛止レール２０に設け、フック部４２が掛止されない掛止部２２を省略することもできる。したがって、掛止レールに設けられる複数の掛止部は、掛止レールの長手方向において異なる間隔をおいて設けられているものであってもよい。
【００３６】
・１つの掛止プレート４０に設けられるフック部４２の数を１つにすることもできるし、３つ以上にすることもできる。
・１つの壁面パネル３０に固定される掛止プレート４０の数を１つにすることもできる。この場合、壁面パネル３０の左右方向における中央部に掛止プレートを固定することが好ましい。また、１つの壁面パネル３０に３つ以上の掛止プレートを固定することもできる。
【００３７】
・掛止レール２０及び掛止プレート４０の少なくとも一方を硬質樹脂材料などの金属材料以外の材料によって形成することもできる。
・壁面パネル３０に目地材５０が一体形成されていないものであってもよい。この場合、下地材に対して壁面パネルが取り付けられた後に、互いに隣り合う壁面パネルの間の間隙に目地を施工すればよい。
【００３８】
・掛止レールの長手方向が図１の左右方向に沿うようにして下地材１０に対して掛止レールを取り付けるようにしてもよい。この場合であっても、掛止部は上向きのフック形状をなすものとすればよい。また、掛止プレートについては、壁面パネルの裏面に対して、掛止プレートの長手方向が左右方向に沿うように固定すればよい。
【００３９】
・掛止プレートなどの掛止部材は、掛止レールの長手方向と直交する方向など同長手方向とは異なる方向に沿って延びて設けられていてもよい。この場合、掛止部材が互いに隣り合う複数の掛止レールの掛止部にそれぞれ掛止されていればよい。
【００４０】
・壁面パネルを人工石や木材、あるいは合成樹脂などの天然石以外の材料によって形成することもできる。
・本発明を外装壁を構成する壁面パネルの取り付け構造として具現化することもできる。
【００４１】
＜課題を解決するための手段に関する付記＞
上記課題を解決するための手段は、上記実施形態及びその変形例から把握できる技術的思想である以下の（付記項１）及び（付記項２）を含む。
【００４２】
（付記項１）
前記掛止部材は、前記掛止レールの長手方向とは異なる方向において互いに間隔をおいて複数設けられている、
請求項１〜請求項３のいずれか一項に記載の壁面パネルの取り付け構造。
【００４３】
（付記項２）
複数の前記掛止部は前記掛止レールの長手方向において互いに所定の間隔をおいて設けられ、
前記長手方向における前記フック部の長さと互いに隣り合う前記フック部の間の間隔との和は、前記長手方向における前記掛止部の長さと互いに隣り合う前記掛止部の間の間隔との和の自然数倍に設定されている、
請求項２に記載の壁面パネルの取り付け構造。
【符号の説明】
【００４４】
１０…下地材（下地）、２０…掛止レール、２１…レール本体、２２…掛止部、２５…ねじ孔、２６…ねじ、３０，１３０，２３０…壁面パネル、４０，１４０，２４０…掛止プレート（掛止部材）、４１，１４１，２４１…プレート本体、４２，１４２，２４２…フック部、５０…目地材（シール材）。
【図１】
2017008662.tif 000003
【図２】
2017008662.tif 000004
【図３】
2017008662.tif 000005
【図４】
2017008662.tif 000006
【図５】
2017008662.tif 000007
【図６】
2017008662.tif 000008
【図７】
2017008662.tif 000009
【図８】
2017008662.tif 000010
【図９】
2017008662.tif 000011